(57)【要約】【課題】器具本体内の電源回路を回避して支持部材の軸支部を器具本体内に設けるとともに、器具本体のコンパクト化を図った照明器具を提供する。【解決手段】筒状の器具本体２１と、前記器具本体２１内における前記器具本体２１の軸方向一端側に配置されるＬＥＤ基板１０２と、前記器具本体２１内における前記器具本体２１の軸方向他端側で前記器具本体２１の軸線Ｃからオフセットした位置に配置され、前記ＬＥＤ基板１０２に電気的に接続される電源回路１０３と、前記器具本体２１を軸支部１１６により回動自在に支持するアーム部１１５と、を備え、前記軸支部１１６は、前記器具本体２１内における前記電源回路１０３をオフセットした方向とは逆側の空間Ｓに配置される。【選択図】図４
2015028872.tif 000002
【特許請求の範囲】
【請求項１】
筒状の器具本体と、
前記器具本体内における前記器具本体の軸方向一端側に配置される光源部と、
前記器具本体内における前記器具本体の軸方向他端側で前記器具本体の軸線からオフセットした位置に配置され、前記光源部に電気的に接続される電源回路と、
前記器具本体を軸支部により回動自在に支持する支持部材と、を備え、
前記軸支部は、
前記器具本体内における、前記器具本体の軸線からオフセットした位置に配置されることを特徴とする照明器具。
【請求項２】
前記軸支部は、前記器具本体の軸線を挟んで前記電源回路に対向する位置に配置される、請求項１記載の照明器具。
【請求項３】
前記光源部は、ＬＥＤ素子が実装されたＬＥＤ基板であることを特徴とする請求項１または２に記載の照明器具。
【請求項４】
前記器具本体の軸方向他端側を閉塞して固定される端板部を備え、
前記軸支部は、
前記端板部に設けられることを特徴とする請求項１〜３のうちいずれか一項に記載の照明器具。
【請求項５】
前記支持部材の一端は、前記軸支部を介して前記端板部に取り付けられ、前記支持部材の他端は、被取付部に取り付けられ、
前記器具本体を回動して、前記器具本体の軸方向を前記支持部材の他端の軸方向に沿って配置した場合に、前記器具本体の軸線と前記支持部材の他端の軸線とが同一軸線上となることを特徴とする請求項１〜４のうちいずれか一項に記載の照明器具。
【発明の詳細な説明】
【技術分野】
【０００１】
本発明は、器具本体内にＬＥＤ素子が実装されたＬＥＤ基板及び該ＬＥＤ基板に電力を供給する電源回路を備えた照明器具に関する。
【背景技術】
【０００２】
近年、間接照明が多く用いられるようになり、例えば、空間の雰囲気を向上するために、対象物の一部を強調して照明することができるスポットライトが用いられている。スポットライトは、局所的な範囲を照らす灯具であって、その本体部分に回動及び回転自在のアーム等の支持部材を取り付けて、光の照射方向を変更可能とし、建物の天井や壁に設置されている。このようなスポットライト型の照明器具として、器具本体内にＬＥＤ素子が実装されたＬＥＤ基板と該ＬＥＤ基板に電力を供給する電源回路を備えた照明器具が知られている（例えば、特許文献１参照）。
【０００３】
特許文献１では、支持部材である可変ブラケットを介して天井に取り付けられ、光の照射方向を変更することが可能であるスポットライト型の照明器具が開示されている。このスポットライト型の照明器具は、器具本体（灯具）内にＬＥＤ基板と電源回路（特許文献１では、符号２３で示す電源ユニット）が搭載されている。このスポットライト型の照明器具は、器具本体が可変ブラケットにより天井から吊り下げられており、当該可変ブラケットの下端に光の照射方向を上下方向に可変するための軸支部（可動部）を設けたものである。このスポットライト型の照明器具は、ユーザーが光の照射方向を変更しようとした場合、器具本体を把持して動かすことで、軸支部を支点として器具本体が上下に回動し、光の照射方向を変更することができる。
【先行技術文献】
【特許文献】
【０００４】
【特許文献１】特開２０１１−１７０９９０号公報
【発明の概要】
【発明が解決しようとする課題】
【０００５】
しかし、特許文献１に開示された照明器具のように、器具本体（灯具）内に電源回路を搭載するものは、器具本体内の空間が制限されるため軸支部を器具本体の外部に設けるものが多い。一方、照明器具のコンパクト化を図るために器具本体の内部に軸支部を設ける構成を考慮した場合、器具本体内に搭載された電源回路を回避して電源回路の後部（特許文献１では、符号２３で示す電源ユニットの後部）に軸支部を設ける構成が考えられるが、このような構成の場合、器具本体の全長が長くなり、器具本体のコンパクト化を図る上で不利になる。
【０００６】
そこで、本発明は、上記課題に鑑みてなされたものであり、器具本体内の電源回路を回避して支持部材の軸支部を器具本体内に設けるとともに、器具本体のコンパクト化を図った照明器具を提供することを目的とする。
【課題を解決するための手段】
【０００７】
本発明の解決しようとする課題は以上の如くであり、次にこの課題を解決するための手段を説明する。
【０００８】
即ち、本願に開示する照明器具は、
筒状の器具本体と、
前記器具本体内における前記器具本体の軸方向一端側に配置される光源部と、
前記器具本体内における前記器具本体の軸方向他端側で前記器具本体の軸線からオフセットした位置に配置され、前記光源部に電気的に接続される電源回路と、
前記器具本体を軸支部により回動自在に支持する支持部材と、を備え、
前記軸支部は、
前記器具本体内における、前記器具本体の軸線からオフセットした位置に配置されるものである。
【０００９】
本願に開示する照明器具において、
前記軸支部は、前記器具本体の軸線を挟んで前記電源回路に対向する位置に配置される構成とすることが好ましい。
【００１０】
本願に開示する照明器具において、
前記光源部は、ＬＥＤ素子が実装されたＬＥＤ基板である構成とすることが好ましい。
【００１１】
本願に開示する照明器具において、
前記器具本体の軸方向他端側を閉塞して固定される端板部を備え、
前記軸支部は、
前記端板部に設けられる構成とすることが好ましい。
【００１２】
本願に開示する照明器具において、
前記支持部材の一端は、前記軸支部を介して前記端板部に取り付けられ、前記支持部材の他端は、被取付部に取り付けられ、
前記器具本体を回動して、前記器具本体の軸方向を前記支持部材の他端の軸方向に沿って配置した場合に、前記器具本体の軸線と前記支持部材の他端の軸線とが同一軸線上となる構成とすることが好ましい。
【発明の効果】
【００１３】
本発明によれば、器具本体内の電源回路を回避して支持部材の軸支部を器具本体内に設けるとともに、器具本体のコンパクト化を図ることができる。
【図面の簡単な説明】
【００１４】
【図１】本発明の一実施形態に係る照明器具を示す斜視図。
【図２】同じく照明器具を示す斜視図。
【図３】端板部とアーム部を器具本体に取り付ける状態を示す斜視分解図。
【図４】本発明の一実施形態に係る照明器具（器具本体が軸線Ｄに対して垂直な状態の場合）を示す側面断面図。
【図５】同じく照明器具（器具本体が軸線Ｄに対して平行な状態の場合）を示す側面断面図。
【図６】器具本体を示す斜視図。
【図７】（ａ）は図６において器具本体をＡ方向から見た図、（ｂ）は器具本体の側面一部断面図。
【発明を実施するための形態】
【００１５】
次に、発明の実施の形態を説明する。
【００１６】
先ず、本実施形態に係る照明器具１００の全体構成について、図１から図７を用いて説明する。なお、以下の説明では、照明器具１００の「前側」は光を照射する側とし、「後側」は前側の反対側として説明する。
【００１７】
図１及び図２に示すように、照明器具１００は、例えば、天井等の取付壁部に取り付けて使用されるスポットライトである。照明器具１００は、ＬＥＤ１０２ａが実装されたＬＥＤ基板１０２と、このＬＥＤ基板１０２に電力を供給する電源回路１０３と、ＬＥＤ基板１０２及び電源回路１０３を収納する器具本体２１と、端板部２２と、器具本体２１を支持するための支持部材であるアーム部１１５と、このアーム部１１５の一端を軸支する軸支部１１６と、取付プラグ１１７を備える。器具本体２１は、ＬＥＤ基板１０２を収納するＬＥＤケーシング部１０４と、このＬＥＤケーシング部１０４とは隔壁２５を介して別区画として構成され、電源回路１０３を収納する電源ケーシング部１０５とを備えている。なお、取付プラグ１１７は、被取付部の一例である。被取付部は、天井や壁に直接固定できる取付部品（スタッドやフランジなどと呼ばれる部品）で実現してもよい。
なお、本実施形態においては、器具本体２１としてＬＥＤケーシング部１０４、隔壁２５及び電源ケーシング部１０５を一体的な部品として形成しているが、特に限定するものではない。例えば、ＬＥＤケーシング部、隔壁２５及び電源ケーシング部をそれぞれ別体の部品として形成し、これらを組み付けて器具本体として構成されるものであってもよい。
【００１８】
ＬＥＤ基板１０２は、器具本体２１内における器具本体２１の軸方向一端側（本実施形態では、前端側）に配置される光源部である。ＬＥＤ基板１０２は、円板状に加工されたプリント配線板上の中央部に、ＬＥＤ（発光ダイオード）１０２ａが配置されて実装されている。ＬＥＤ１０２ａは、例えばＣＯＢ（Ｃｈｉｐ  ｏｎ  Ｂｏａｒｄ）素子で構成することができる。ＬＥＤ１０２ａは、例えばプリント配線板上に直接形成されたＬＥＤ素子と、アノード電極と、カソード電極とを備える。ＬＥＤ１０２ａには、レンズ１０６が装着されている。なお，ＬＥＤ１０２ａは、ＬＥＤチップ部品がプリント配線板上に半田付けにより実装される構成としてもよい。
【００１９】
図６、図７に示すように、器具本体２１は、器具本体２１の軸方向両端が開放された筒状体で、その内部空間が隔壁２５で閉塞された容器形状の成形体である。器具本体２１は、例えばインパクト成形により一体成形された容器形状成形体である。すなわち、器具本体２１は、円盤状の隔壁２５を介して円筒状の前方筒体である第１容器と同じく円筒状の後方筒体である第２容器とが対向配置された構造を有している。第１容器は、ＬＥＤ基板１０２を収納するＬＥＤケーシング部１０４であり、第２容器は、電源回路１０３と後述する軸支部１１６を収納する電源ケーシング部１０５である。ＬＥＤケーシング部１０４及び電源ケーシング部１０５は、器具本体２１が例えばインパクト成形を用いて成型された容器形状成形体である場合、それぞれが有する周壁の肉厚が器具本体２１の軸方向に亘って均一である。器具本体２１は、例えば金属材料（本実施形態では純アルミニウム又はアルミニウム合金）からなる熱伝導性材料で構成される。なお、器具本体２１の形状及びそれに含まれる各部（隔壁２５等）の形状は、一例である。また、以下の説明では、器具本体２１の円筒軸に沿う方向を「器具本体２１の軸方向」と称し、円筒軸に直交する方向を「器具本体２１の径方向」と称する。
また、本実施形態の器具本体２１は、インパクト成形により器具本体２１を一体的な部品として成形されたものであるが、特に器具本体２１の製造方法を限定するものではない。器具本体２１の製造方法としては、例えば、薄板からの絞り加工等によっても器具本体２１を製造することができる。
また、本実施形態においては、図４に示すように、ＬＥＤケーシング部１０４の周壁の肉厚が電源ケーシング部１０５の周壁の肉厚よりも厚くなるように構成されているが、特に限定するものではない。例えば、用途、形状や機能に応じて適宜ＬＥＤケーシング部１０４や電源ケーシング部１０５の各周壁の肉厚を設定すればよい。
【００２０】
隔壁２５は、その前面及び後面にそれぞれ前方筒体であるＬＥＤケーシング部１０４と、後方筒体である電源ケーシング部１０５とを有するように一体的に形成され、ＬＥＤケーシング部１０４と電源ケーシング部１０５とを区画するための所定厚さの円盤状部分である。なお、「一体的」とは、成形により単一部品として形成された状態をいう。隔壁２５には、図７（ａ）に示すように、第１平行リブ１１１の前端部近傍には、配線を通すための貫通孔２５ａが設けられている。該貫通孔２５ａには、ＬＥＤケーシング部１０４に収納されたＬＥＤ基板１０２から延出されるコードが挿通される。このコードは、電源ケーシング部１０５に収納された電源回路１０３に電気的に接続される。なお、ＬＥＤ基板１０２から延出されるコードは、本明細書では図示を省略している。
【００２１】
器具本体２１を構成する材料は、特に限定するものではなく、金属材料、樹脂材料やこれらを複合して用いることができる。本実施形態のようにＬＥＤ基板１０２を光源部として用いる場合は、器具本体２１を構成する材料として熱伝導性が高いことが好ましく、本実施形態では純アルミニウム（ＪＩＳＡ１０００番台）、あるいはアルミニウム合金から構成される。器具本体２１を、例えばインパクト成形で形成する場合、本発明はこれらアルミ系材料に限定されず、器具本体２１を構成する材料をインパクト成形にて成形可能な他の材料を用いることができる。このような他の材料としては、例えば、銅、マグネシウム、鉄、ニッケル、及びこれらの合金などが含まれる。
【００２２】
端板部２２は、器具本体２１（電源ケーシング部１０５）の軸方向他端側（本実施形態では後端側）に取り付けられて、該電源ケーシング部１０５の後端部の開放された部分を閉塞して固定するための略円盤状の部材である。端板部２２には、電源回路１０３に接続される電源コード１１９を内蔵したアーム部１１５の一端が挿通されるアーム差込口１０５ｃが開口されている。アーム差込口１０５ｃは、後面視において端板部２２の中央から端板部２２の径方向に沿って所定幅で形成されている。端板部２２は、端板部２２（器具本体２１）の中心軸である軸線Ｃからオフセットした位置において前方に突出して形成される略ドーム状の空間である収容部２２ａと、該収容部２２ａに連通するとともに端板部２２の軸線Ｃ近傍に前方にテーパ状に突出して形成される空間であるテーパ部２２ｂと、から構成される。収容部２２ａは、断面視略円弧状であり、アーム部１１５の一端である軸支基部１１５ｂを収容するとともに軸支する部分である。端板部２２は、その外縁に端板部２２の外周部において後方に突出する外縁部２２ｃを有し、該外縁部２２ｃにはＵ字形の切欠き２２ｄが形成されている。切欠き２２ｄは、器具本体２１がアーム部１１５の他端である円筒部１１５ａの中心軸である軸線Ｄに対して垂直状態（図４参照、器具本体２１の軸線Ｃとアーム部１１５の軸線Ｄとの角度が約９０°の状態）になった際に、アーム部１１５の円筒部１１５ａが係合される部分である。テーパ部２２ｂは、器具本体２１がアーム部１１５の円筒部１１５ａの軸線Ｄに対して平行状態（図５参照、器具本体２１の軸線Ｃとアーム部１１５の軸線Ｄとの角度が約０°の状態）になった際に、アーム部１１５のアームテーパ部１１５ｃが当接して支持される部分である。テーパ部２２ｂは、アーム部１１５に対する器具本体２１の回動範囲を制限する部分である。すなわち、器具本体２１をアーム部１１５の軸線Ｄに対して所定の角度（本実施形態では約０°）となるまで回動させるとアーム部１１５のアームテーパ部１１５ｃが、図５に示すように端板部２２に設けられたテーパ部２２ｂに当接して、アーム部１１５が所定の角度以上に回動することを制限する。収容部２２ａには、後述する軸支部１１６となる取付ネジを挿通するため、後述する一対のネジ孔１１４に対応する位置に図示しない一対のネジ孔が形成されている。
【００２３】
端板部２２は、該端板部２２の周縁部に設けられている取付孔（図示せず）と、電源ケーシング部１０５の第１平行リブ１１１・１１１の後端部に設けられているネジ溝１１２・１１２とに、ネジが螺挿されることにより、端板部２２と器具本体２１（電源ケーシング部１０５）とが組み付けられるように構成されている。なお、例えば円筒状のピンを第１平行リブ１１１・１１１に嵌合させて端板部２２を器具本体２１に固定する構成にすれば、ネジ溝１１２は省略することができる。
【００２４】
アーム部１１５は、器具本体２１を軸支部１１６により回動自在に支持する支持部材である。アーム部１１５は、図３、図４に示すように、アーム部１１５の一端から他端にかけて連通する中空の部材である。アーム部１１５は、該アーム部１１５の一端側に位置する軸支基部１１５ｂ及びアームテーパ部１１５ｃと、該アーム部１１５の他端側に位置する円筒部１１５ａとを備える。円筒部１１５ａは、断面視略円弧状（少なくとも一部に円弧形状部を含む形状）の軸支基部１１５ｂに連通する。アームテーパ部１１５ｃは、円筒部１１５ａの一端を斜めに遮るように形成される。軸支基部１１５ｂは、図３に示すように、一対のネジ孔１１４が形成される。軸支基部１１５ｂは、軸支部１１６である取付ネジにより端板部２２の収容部２２ａに形成された一対のネジ孔（不図示）及び軸支基部１１５ｂに形成された一対のネジ孔１１４に回動可能に連結される。アームテーパ部１１５ｃは、器具本体２１がアーム部１１５の軸線Ｄに対して平行状態（図５参照、器具本体２１の軸線Ｃがアーム部１１５の軸線Ｄに対して約０°の状態）になった際に、端板部２２のテーパ部２２ｂに当接して支持される部分である。アーム部１１５は、その内部に取付プラグ１１７と電源回路１０３との間を繋ぐ複数のコード１１９を挿通可能であり、アーム部１１５内に複数のコード１１９を挿通した状態で軸支部１１６を支点としてアーム部１１５を回動することができる。このように、アーム部１１５の軸支基部１１５ｂが軸支された端板部２２が器具本体２１の後端部に取り付けられると、アーム部１１５の軸支基部１１５ｂは、電源ケーシング部１０５内において回動自在となるように支持され、アーム部１１５の軸線Ｄに対して約０°から９０°の可動範囲において、軸支部１１６である取付ねじを回動軸として器具本体２１を回動することができる。これにより、器具本体２１の導出口１０４ａから導出される照明光の照射方向を上下方向に可変することができる。アーム部１１５の円筒部１１５ａは、取付プラグ１１７内にアーム部１１５の軸線Ｄ周りに３６０度回動可能に取り付けられる。
なお、本実施形態の軸支部１１６に代えて、屈曲可能なヒンジの一例であるボールジョイントを軸支部として用いることもできる。
【００２５】
取付プラグ１１７は、アーム部１１５の円筒部１１５ａを保持するとともに、天井等の取付壁部に埋めこまれた配線器具に取付けられるプラグである。取付プラグ１１７は、天井等の取付壁部に埋めこまれた配線器具に取付られることによって、器具本体２１が天井等の取付壁部に取付けられるともに、外部商用電源から電力が供給されるように構成されている。
【００２６】
なお、器具本体２１の直径、長さ、前方筒体であるＬＥＤケーシング部１０４側面の厚み、後方筒体である電源ケーシング部１０５側面の厚み、隔壁２５の厚みは任意の寸法であるので、器具本体２１の要求される仕様（強度、重量、熱伝導性、意匠性等）や用途に応じて各値を適宜任意の値を設定することができる。
【００２７】
また、本実施形態では、器具本体２１として円筒形状の部品を挙げたが、器具本体２１は、円筒形状に限らない。例えば、断面形状が多角形の筒状の部品を用いることもできる。
【００２８】
ＬＥＤケーシング部１０４は、ＬＥＤ基板１０２を収納するための筒状部材である。ＬＥＤケーシング部１０４は、前端が開放された円筒状に形成され、この円筒の中空部にＬＥＤ基板１０２が収納されている。ＬＥＤケーシング部１０４に一体的に形成される隔壁２５の前面は、平らに形成されており、ＬＥＤケーシング部１０４の隔壁２５の前面には、前記ＬＥＤ基板１０２が電気絶縁部材（不図示）を介して固着されている。ＬＥＤケーシング部１０４の前面には、ＬＥＤ１０２ａの光を導出するための導出口１０４ａが、開口されている。導出口１０４ａは、レンズ１０６の直径よりも大きく、正面視円形に形成されている。なお、導出口１０４ａを塞ぐ位置に、透光性又は透明性を有するカバーを備えてもよい。
【００２９】
電源ケーシング部１０５は、電源回路１０３を収納するための筒状部材である。電源ケーシング部１０５は、隔壁２５を介してＬＥＤケーシング部１０４に一体的に形成される部分である。電源ケーシング部１０５は、後端が開放された円筒状に形成され、この円筒の中空部に電源回路１０３が収納されている。電源ケーシング部１０５に一体的に形成される隔壁２５の後面は、平らに形成されている。電源ケーシング部１０５は、ＬＥＤケーシング部１０４と隔壁２５とを介して一体的に形成され、ＬＥＤケーシング部１０４と略同一断面形状を有する円筒状に形成され、ＬＥＤケーシング部１０４と軸心を同じくするように形成されて一の筒状体となるように構成されている。
【００３０】
電源回路１０３は、器具本体２１内における器具本体２１の軸方向他端側（本実施形態では、後端側）で器具本体２１の軸線Ｃからオフセットした位置に配置され、ＬＥＤ基板１０２に電気的に接続される。電源回路１０３は、交流電圧を所定の直流電圧に変換し、または高圧直流電圧を低圧直流電圧に減圧し、ＬＥＤ基板１０２に電力を供給するためのものであり、長方形板状に加工されたプリント配線板上に実装されている。電源回路１０３は、該電源回路１０３が有するプリント配線基板を、電源ケーシング部１０５内に形成された後述する第２平行リブ１２２の後端部から差し込んで、電源ケーシング部１０５内の所定の位置に保持される。この第２平行リブ１２２を電源ケーシング部１０５の内壁面１０５ａに設けることで、ネジ等の取付部材を用いることなく、電源回路１０３を電源ケーシング部１０５内の所定の位置に保持することができる。これにより、電源回路１０３を器具本体２１に組み付ける工程の省略化が図れる。
【００３１】
電源回路１０３は、図４に示すように、器具本体２１内における器具本体２１の軸方向他端側（本実施形態では、後端側）で器具本体２１の軸線Ｃからオフセットした位置（図４では下方にオフセットした位置）に配置されることで、器具本体２１内における電源回路１０３をオフセットした方向とは逆側に所定の空間Ｓが形成される。前述した端板部２２の収容部２２ａ及びテーパ部２２ｂは、器具本体２１内における電源回路１０３をオフセットした方向とは逆側に形成された空間Ｓの後部に収容される。つまり、端板部２２の収容部２２ａ及びテーパ部２２ｂは、器具本体２１の軸線Ｃを挟んで電源回路１０３に対向する位置に配置される。これにより、軸支部１１６は、当該器具本体２１における空間Ｓ内の後部に配置される。具体的には、軸支部１１６は、器具本体２１内における、器具本体２１の軸線Ｃからオフセットした位置に配置される。すなわち、軸支部１１６は、器具本体２１の軸線Ｃを挟んで電源回路１０３に対向する位置に配置される。こうして、器具本体２１内に配置された電源回路１０３を回避して支持部材であるアーム部１１５の軸支部１１６を器具本体２１内に設けることができる。
【００３２】
器具本体２１の空間Ｓ内に配置された軸支部１１６は、図４に示すように、軸支部１１６と器具本体２１との間隔が最短となる間隔と、軸支部１１６と端板部２２との間隔が最短となる間隔とが略等間隔となる位置に配置されることが好ましい。このような位置に、軸支部１１６を配置することにより。アーム部１１５の軸線Ｄに対して器具本体２１の軸線Ｃが垂直状態の場合におけるアーム部１１５が端板部２２（切欠き２２ｄ）から突出する間隔Ｌ１（図４参照）と、アーム部１１５の軸線Ｄに対して器具本体２１の軸線Ｃが平行状態の場合におけるアーム部１１５が端板部２２（アーム差込口１０５ｃ）から突出する間隔Ｌ２（図５参照）と、が、略同じ間隔となり、意匠性や機能性において好適なアーム構造となる。
【００３３】
電源ケーシング部１０５は、電源ケーシング部１０５が有する内壁面１０５ａから器具本体２１の径方向に突出するとともに、隔壁２５から器具本体２１の軸方向に沿って延びて電源ケーシング部１０５の開放端１０５ｂまで連続的に形成される一対の第１平行リブ１１１・１１１と、一対の第２平行リブ１２２・１２２を備える。
なお、本実施形態では、第２容器である電源ケーシング部１０５に一対の平行リブ第１平行リブ１１１・１１１、第２平行リブ１２２・１２２を設ける構成としているが、特に限定するものではない。すなわち、第１容器であるＬＥＤケーシング部１０４と第２容器である電源ケーシング部１０５のうち少なくとも一方の容器に一対の平行リブを設ける構成とすることができる。
【００３４】
電源ケーシング部１０５には、一対の第１平行リブ１１１・１１１と、一対の第２平行リブ１２２・１２２とが、一体的に形成されている。第１平行リブ１１１・１１１は、電源ケーシング部１０５の内壁面１０５ａにおいて、器具本体２１の軸方向に電源ケーシング部１０５の前端から後端に亘って延設される。第１平行リブ１１１・１１１は、電源ケーシング部１０５の内壁面１０５ａから器具本体２１の径方向に突出している。第１平行リブ１１１・１１１は、微小隙間を挟んで互いに対向している。第１平行リブ１１１・１１１は、電源ケーシング部１０５の断面における略直径線分上において、互いに対向する位置に配置されている。第１平行リブ１１１・１１１は、その後端部分が端板部２２をネジで固定するためにタップ加工により形成されるネジ溝１１２が設けられた部分である。第２平行リブ１２２は、所定のリブ間隔（前記電源回路１０３が有するプリント配線基板の厚さと略同じ間隔寸法）を有しており、平行に立設された一対のリブ間に電源回路１０３を第２平行リブ１２２の後端部から差し込んで、電源ケーシング部１０５内を所定の位置に保持するための部分である。第２平行リブは、軸心（軸線Ｃ）と垂直となる方向に第１平行リブと所定長離間して設けられている。なお、一対の第１平行リブ１１１・１１１は、互いに平行であることは必須ではない。一対の第２平行リブ１２２・１２２は、互いに平行であることは必須ではない。また、ネジ溝１１２は、省略することができる。
【００３５】
図４に示すように、ＬＥＤ基板１０２は、第１容器であるＬＥＤケーシング部１０４内の隔壁２５の一側面２５ｃに配置される。図４乃至図７に示すように、一対の第２平行リブ１２２・１２２は、第２平行リブ１２２・１２２を結ぶ線分と、隔壁２５におけるＬＥＤ対向部とが重ならない位置に配置されている。ＬＥＤ対向部とは、隔壁２５の上面２５ｂにおける、ＬＥＤ素子１０２ａに対向する部分である。ＬＥＤ対向部は、隔壁２５の上面２５ｂにおいて最もＬＥＤ素子１０２ａからの熱が伝わりやすいる部分であり、隔壁２５の上面２５ｂにおいて最も温度上昇する部分である（ヒートポイント）。このように配置された一対の第２平行リブ１２２・１２２に電源回路１０３を差し込んで保持すると、図４のようになる。このような位置に電源回路１０３を差し込むための第２平行リブ１２２・１２２を設けることで、電源回路１０３を、熱源となるＬＥＤ素子１０２ａから器具本体２１の径方向（隔壁２５の面方向）に離間させた位置に配置することができ、電源回路１０３がＬＥＤ素子１０２ａによる熱の影響を受けにくく、電源回路１０３にとって好ましい温度状態となる。本実施形態では、ＬＥＤ素子１０２ａを隔壁２５の中央に配置しているため、第２平行リブ１２２・１２２は、電源回路１０３のプリント配線基板が隔壁２５の中央から器具本体２１の径方向にずれた位置に配置される位置に形成されている。
【００３６】
このように構成された照明器具１００では、アーム部１１５の軸支基部１１５ｂは、軸支部１１６を介して端板部２２に取り付けられ、アーム部１１５の円筒部１１５ａは、取付プラグ１１７を介して取付壁部に取り付けられる。器具本体２１を回動して、器具本体２１の軸方向（軸線Ｃに沿った方向）をアーム部１１５の円筒部１１５ａの軸方向（軸線Ｄに沿った方向）に沿って配置した場合に、器具本体２１の軸線Ｃとアーム部１１５の円筒部１１５ａの軸線Ｄとが同一軸線上となる（図５参照）。これにより、アーム部１１５を軸に器具本体２１を回転させたとしても、器具本体２１が取付プラグ１１７に対して偏心しないため、器具本体２１を任意の位置に配置することができる。
さらに、本実施形態の照明器具１００では、このように器具本体２１の軸線Ｃとアーム部１１５の円筒部１１５ａの軸線Ｄとが同一軸線上となった際に、さらに、ＬＥＤ基板１０２（ＬＥＤ素子１０２ａ）の光軸も軸線Ｃ、Ｄと同一軸線上となる構成となっている。これにより、光軸中心の位置を容易に把握できるので、器具本体２１を任意の配光方向に容易に向けることができる。
【００３７】
本実施形態では、器具本体２１として、隔壁２５を介して断面が同形状かつ同サイズの前方筒体と後方筒体とが連結した構造を一例として説明したが、特に限定するものではない。隔壁を介して前方筒体と後方筒体と断面が異なる形状または異なるサイズであってもかまわない。例えば、長さ方向中途部に段付き形状を有する容器形状成形体であってもかまわない。
【００３８】
本実施形態によれば、器具本体２１内の電源回路１０３を回避して支持部材であるアーム部１１５の軸支部１１６を器具本体２１内に設けるとともに、器具本体２１のコンパクト化を図ることができる。すなわち、本実施形態によれば、器具本体２１の軸方向サイズをコンパクトにして、器具本体２１の軽量化を図ることができる。
【００３９】
本実施形態によれば、軸支部１１６を器具本体２１内に設けているため、従来のように外部に軸支部を有する照明器具に比べて、支持部材であるアーム部の全長を短く構成することができる。これにより、アーム強度が向上するとともにコード等も短く構成できるため、照明器具１００の製造コストを削減することができる。また、軸支部１１６が器具本体２１の外部から見えないため、照明器具１００の外観がシンプルになり、意匠性が向上する。
【００４０】
本実施形態によれば、軸支部１１６を器具本体２１ではなく、器具本体２１に取り付ける端板部２２に設ける構成としているので、器具本体２１側の組み立てとアーム部１１５、端板部２２及び軸支部１１６の組み付けを別々の工程にて行うことができるので照明器具１００の組立工程をシンプルに構成することができる。
【００４１】
本実施形態では、器具本体２１を回動して、器具本体２１の軸方向（軸線Ｃに沿った方向）をアーム部１１５の円筒部１１５ａの軸方向（軸線Ｄに沿った方向）に沿って配置した場合に、器具本体２１の軸線Ｃとアーム部１１５の円筒部１１５ａの軸線Ｄとが同一軸線上となる。さらに、本実施形態では、このように器具本体２１の軸線Ｃとアーム部１１５の円筒部１１５ａの軸線Ｄとが同一軸線上となった際に、さらに、ＬＥＤ基板１０２（ＬＥＤ素子１０２ａ）の光軸も軸線Ｃ、Ｄと同一軸線上となる。このように構成することにより、照明技術者は照明器具１００の配光制御が容易になり、多様な照明プランを設定することができる。
【符号の説明】
【００４２】
２１  器具本体
２２  端板部
１００  照明器具
１０２  ＬＥＤ基板（光源部）
１０２ａ  ＬＥＤ素子
１０３  電気回路
１１５  アーム部（支持部材）
１１６  軸支部
Ｃ  軸線
Ｓ  空間
【図１】
2015028872.tif 000003
【図２】
2015028872.tif 000004
【図３】
2015028872.tif 000005
【図４】
2015028872.tif 000006
【図５】
2015028872.tif 000007
【図６】
2015028872.tif 000008
【図７】
2015028872.tif 000009